(57)【要約】波長分割多重化（ＷＤＭ）通信システム（１００）のラインモニタリング設備（ＬＭＥ）（１４０）に対する高分解能の標準フォーマット出力を提供するための技術が開示される。ＬＭＥ（１４０）は、ＷＤＭシステム（１００）の光経路（１１０、１２０）を介して複数のＬＭＥテスト信号（λ１、２２２）を送信し、所定の間隔でそれに関連した反射のゲイン測定を実行し得る。複数のＬＭＥテスト信号（λ１、２２２）の各々に対するゲイン測定値は、ＬＭＥピークデータを導出するように正規化及びフィルタリングされ得る。そして、ＷＤＭシステムは、上記のデータ及び測定値に基づいてＬＭＥ結果ファイル（３０８）を出力し得る。【選択図】図１
2020506644.tif 000002
【特許請求の範囲】
【請求項１】
複数のケーブルセグメント（１１６−１．．１１６−ｎ、１２６−１．．１２６−ｎ）を備える光経路（１１０、１２０）と、
前記光経路（１１０、１２０）に結合されたラインモニタリング設備（ＬＭＥ）（１４０、１４２）を有する端局（１０２、１０４）と
を備えた光通信システム（１００）であって、前記ＬＭＥ（１４０、１４２）が、
前記光経路（１１０、１２０）に沿って少なくとも１つのＬＭＥテスト信号（２２２）を送信し、
前記複数のケーブルセグメント（１１６−１．．１１６−ｎ、１２６−１．．１２６−ｎ）の各々を通じて前記少なくとも１つのＬＭＥテスト信号（２２２）に与えられるゲインを示す複数のゲイン測定値を受信し、
前記受信された複数のゲイン測定値（３０２）に基づいて結果的なＬＭＥデータセットを導出し、
前記光通信システム（１００）に関連した複数のシステムパラメータ（３０４）を受信し、
前記結果的なＬＭＥデータセット及び前記光通信システム（１００）に関連した前記システムパラメータ（３０４）の少なくとも一部に基づいて出力ファイル（３０８）を生成するように構成された、光通信システム（１００）。
【請求項２】
前記複数のゲイン測定値（３０２）の各々が、所定の測定間隔で実行されるゲイン測定に関連した、請求項１に記載の光通信システム（１００）。
【請求項３】
前記所定の測定間隔が約１００ピコ秒である、請求項２に記載の光通信システム（１００）。
【請求項４】
前記少なくとも１つのＬＭＥテスト信号（２２２）が複数のＬＭＥテスト信号を備え、前記結果的なＬＭＥデータセットを導出することが、前記複数のＬＭＥテスト信号の各々に関連した所定数のデータセットを平均化することをさらに含む、請求項１に記載の光通信システム（１００）。
【請求項５】
前記所定数のデータセットが、前記光経路（１１０、１２０）の長さ、各ＬＭＥテスト信号（２２２）の空間分解能及び各ＬＭＥテスト信号（２２２）のバイト長の少なくとも一部に基づく、請求項４に記載の光通信システム（１００）。
【請求項６】
前記生成される出力ファイルがＴｅｌｅｃｏｒｄｉａ  ＳＲ−４７３１に適合するフォーマットのものである、請求項１に記載の光通信システム（１００）。
【請求項７】
前記システムパラメータ（３０４）が前記ＬＭＥに関連したハードウェアパラメータを備え、前記ハードウェアパラメータは、取得範囲、パルス幅パラメータ、後方散乱係数及び／又はノイズフロアレベルのうちの少なくとも１つを備える、請求項１に記載の光通信システム（１００）。
【請求項８】
前記少なくとも１つのテスト信号（２２２）が第１のチャネル波長に関連し、前記受信された複数のシステムパラメータ（３０４）が前記第１のチャネル波長を示す表示波長の値を含む、請求項１に記載の光通信システム（１００）。
【請求項９】
前記受信された複数のシステムパラメータ（３０４）が、前記複数のケーブルセグメント（１１６−１．．１１６−ｎ、１２６−１．．１２６−ｎ）内で実施されるファイバのタイプを示すファイバタイプの値を含む、請求項１に記載の光通信システム（１００）。
【請求項１０】
前記受信された複数のシステムパラメータ（３０４）が、ユーザ定義システム名称、ユーザ定義発信端末位置及び／又はユーザ定義終端端末位置のうちの少なくとも１つを備える、請求項１に記載の光通信システム（１００）。
【請求項１１】
波長分割多重化（ＷＤＭ）通信システム（１００）のラインモニタリング設備（ＬＭＥ）（１４０、１４２）を介してラインテストを実行する方法（７００）であって、
前記ＷＤＭ通信システム（１００）の光経路（１１０、１２０）に沿って少なくとも１つのＬＭＥテスト信号（２２２）を送信するステップであって、前記光経路（１１０、１２０）は複数のケーブルセグメント（１１６−１．．１１６−ｎ、１２６−１．．１２６−ｎ）を備える、ステップと、
前記複数のケーブルセグメント（１１６−１．．１１６−ｎ、１２６−１．．１２６−ｎ）の各々を通じて前記少なくとも１つのＬＭＥテスト信号（２２２）に与えられるゲインを示す複数のゲイン測定値（３０２）を受信するステップと、
前記受信された複数のゲイン測定値（３０２）に基づいて結果的なＬＭＥデータセットを導出するステップと、
前記ＷＤＭ通信システム（１００）に関連した複数のシステムパラメータ（３０４）を受信するステップと、
前記結果的なＬＭＥデータセット及び前記ＷＤＭ通信システム（１００）に関連した前記システムパラメータ（３０４）の少なくとも一部に基づいて出力ファイル（３０８）を生成するステップと
を備える方法（７００）。
【請求項１２】
前記複数のゲイン測定値（３０２）の各々が、所定の測定間隔で実行されるゲイン測定に関連した、請求項１１に記載の方法（７００）。
【請求項１３】
前記少なくとも１つのＬＭＥテスト信号（２２２）が複数のＬＭＥテスト信号を備え、前記結果的なＬＭＥデータセットを導出するステップが、前記複数のＬＭＥテスト信号の各々に関連した所定数のデータセットを平均化するステップをさらに含む、請求項１１に記載の方法（７００）。
【請求項１４】
前記所定数のデータセットが、前記光経路（１１０、１２０）の長さ、各ＬＭＥテスト信号の空間分解能及び各ＬＭＥテスト信号のバイト長の少なくとも一部に基づく、請求項１３に記載の方法（７００）。
【請求項１５】
前記生成される出力ファイルがＴｅｌｅｃｏｒｄｉａ  ＳＲ−４７３１に適合するフォーマットのものである、請求項１１に記載の方法（７００）。
【発明の詳細な説明】
【背景技術】
【０００１】
長距離光通信システムにおいては、システムの健全状態をモニタリングすることが重要となり得る。例えば、モニタリングは、光伝送ケーブルにおける欠陥若しくは破損、欠陥のある中継器若しくは増幅器、又はシステムの他の問題を検出するのに使用可能である。既知のモニタリング方法は、光時間領域反射測定（ＯＴＤＲ）設備及び技術の使用を含む。
【０００２】
より詳細にはＯＴＤＲ技術によると、ＯＴＤＲ信号源は、光パルス又は特別に変調された光搬送波などのテスト又はプローブ信号を生成し、テスト信号は、経路対のアウトバウンド光経路に出射される。アウトバウンド経路における要素は、ＯＴＤＲテスト信号の部分を反射（例えば、後方散乱）し得る。後方散乱された信号部分は、（例えば、同じアウトバウンド経路、又はインバウンド経路などの異なる経路上で）戻され、ＯＴＤＲ受信機において検出され得る。経路における各要素の伝送特性はまた、例えば、テスト信号又は反射された信号を減衰させることによって、その要素後のポイントで反射される信号の量にも影響を及ぼし得る。光経路に沿って各要素又はポイントから後方散乱又は反射される信号の大きさは、光経路を特徴付けるためのメトリックとして用いられ得る。コヒーレント光時間領域反射測定（ＣＯＴＤＲ）はＯＴＤＲの向上したものであり、海底光通信システムなどの長距離ＷＤＭシステムにおいて用いられ得る。ＣＯＴＤＲは、そのテスト信号及びコヒーレント光検出受信機が受信機の感度を向上させるように特別な光変調方式を用いる。向上した感度によって非常に低いレベルの後方散乱した信号の測定が可能となるので、ファイバが（例えば、光増幅器を越えて）ＣＯＴＤＲ設備から遠く離れた光経路の部分にある場合であっても、非常に長い光ファイバの試験が可能となる。伝送経路における光ファイバからのレイリー後方散乱がＯＴＤＲ又はＣＯＴＤＲによって検出可能であるため、システムのモニタリングに対するこのアプローチは、ユーザが中継器間のファイバを試験することが可能な診断ツールを提供する。
【０００３】
ここで、添付の図面を参照して例として発明を説明する。
【図面の簡単な説明】
【０００４】
【図１】図１は、本開示によるシステムの実施形態の一例の簡略化したブロック図である。
【図２】図２は、本開示の実施形態による、図１のシステムの例に用いるのに適したラインモニタリング設備（ＬＭＥ）の例を概略的に示すブロック図である。
【図３】図３は、本開示の実施形態による、図２のＬＭＥの例によって実施され得る複数の処理段を示すブロック図である。
【図４】図４は、本開示による通信システムの例における測定されたゲイン対距離の変化のプロットを含む。
【図５】図５は、本開示の実施形態による図４のプロットの拡大された部分を示す。
【図６】図６は、本開示の実施形態による図４のプロットの他の拡大された部分を示す。
【図７】図７は、本開示による処理の一例を示すブロックフロー図である。
【発明を実施するための形態】
【０００５】
本開示は、ラインモニタリング設備（ＬＭＥ）を含む光通信システムに関し、より具体的には、システム健全状態モニタリング用途のための標準フォーマットにおいてその上位表示を提供するように高分解能ライン走査を実行するための技術に関する。
【０００６】
波長分割多重化（ＷＤＭ）通信システムのラインモニタリング設備（ＬＭＥ）に対する高分解能の標準フォーマット出力を提供するための技術が、本開示により開示される。本開示によるＷＤＭ通信システムは、光経路（例えば、１以上のファイバ）を介して複数のＬＭＥテスト信号を送信し、例えば、１００ピコ秒以下の所定の間隔でそれに関連した反射のゲイン測定を実行し得る。複数のＬＭＥテスト信号の各々に対するゲイン測定値は、ＬＭＥピークデータともいわれるＬＭＥ結果データを提示するように正規化及びフィルタリングされ得る。この目的で、ＷＤＭ通信システムは、（例えば、システムの長さ、ファイバのタイプ、及び送信されたＬＭＥテスト信号又はテストパルスの数などに依存して）数百万／数十億に上るデータポイントによって完全なライン走査を実行し、それをＬＭＥピークデータ内の相対的に少数の結果的なデータポイントに正規化し得る。そして、ＷＤＭ通信システムは、市販のビューア及び光時間領域反射測定器（ＯＴＤＲ）設備と互換性のある標準フォーマットでＬＭＥ結果ファイルを出力し得る。ＷＤＭ通信システムは、診断目的のためにＬＭＥ結果をＵＳＢサムドライブ、携帯型ハードウェア、ネットワーク位置などに直接出力し得る。
【０００７】
したがって、本開示によるＷＤＭ通信システムは、標準化された非独自仕様で、スタンドアロンＯＴＤＲテストデバイスなどのラインモニタリングへの他のアプローチでは利用不可能な分解能でテスト測定値を提供するように、光経路全体に沿って光テスト信号に与えられるゲイン又はその部分を正確に測定し得る。これによって、ＷＤＭ通信は、数万キロメートル以上に及び得るシステムの長さ全体（又はその一部）に上位表示のゲインデータを提供可能となり得る。
【０００８】
上位表示は、有利なことに、例えば、システムの部分を示すゲインデータを分離及び表示して対象とするエリアを容易かつ正確に識別するように「拡大」する多数の方法で視認されるデータポイントを可能とする。ゲインデータの空間分解能は約１００メートル以下であり得るので、ケーブルの切断及び構成要素の不良などのケーブルの事象の厳密な位置は、例えば、自動ソフトウェア処理及び／又はトレーニングされた技術者によって容易に特定され得る。例えば、技術者又はソフトウェア処理は、システム（例えば、ケーブル地上局）の開始に対する事象の距離及び関連する測定ゲインレベルによって検出された事象が通信システムの特定の構成要素（例えば、光中継器、分岐ユニットなど）に起因するものとし得る。さらに、ＷＤＭ通信システムは、システムの健全状態及び診断に関する有意義な情報を提供するために市販のビューアがメタデータとして用いることができる、各ＬＭＥテスト信号に対する表示波長、各パルス幅の持続時間などのような独自のシステムパラメータも含む標準フォーマットで結果ファイルを出力し得る。
【０００９】
図面では図１は、本開示によるＷＤＭ伝送システム１００の例示的な一実施形態の簡略化されたブロック図である。一般的に、システム１００は、各中継器／増幅器、分岐ユニットなどに関連するゲイン値を計算するように構成され得る。ゲインのばらつきは、システムにおける欠陥を示すシステム警報を生成し、又は、例えば、欠陥状況が発生しつつあることの表示をユーザに提供するのに用いられ得る。
【００１０】
ＷＤＭ伝送システム１００、すなわち、システム１００が、説明の簡略化のために、高度に簡略化されたポイントツーポイントシステム形式として示されたが、他の実施形態もこの開示の範囲内のものとなる。ここで説明する技術及びアーキテクチャは広く多様なネットワーク構成要素及び構成で用いられてもよく、所与のシステムは複数の中継器、変動長のスパン及び／又はシステムの端末における送受信機などの他の構成要素を含み得る。本開示の実施形態は、任意の特定のそのような構成部品及び／又は構成に限定されることを意図するものではない。
【００１１】
図示するように、システム１００は、ともに双方向光経路対を形成する２つの一方向光経路１１０、１２０によって結合された端末（又は端局）１０２、１０４を含み得る。ここで用いられる用語「結合される」は、１つのシステム要素によって搬送される信号が「結合される」要素に与えられる任意の接続、カップリング、リンクなどのことをいう。そのような「結合される」デバイスは、相互に必ずしも直接には接続されず、そのような信号を操作又は変更し得る介在構成要素又はデバイスによって分離され得る。
【００１２】
光経路１１０は、端末１０２における送信機１１２から端末１０４における受信機１１４への一方向で複数のチャネル（又は波長）において光データを搬送することができる。光経路１２０は、端末１０４における送信機１２４から端末１０２における受信機１２２への経路１１０に関連する方向とは反対の方向で複数のチャネル（又は波長）において光データを搬送することができる。端末１０２に関して、光経路１１０はアウトバウンド経路であり、光経路１２０はインバウンド経路である。端末１０４に関して、光経路１２０はアウトバウンド経路であり、光経路１１０はインバウンド経路である。光経路１１０及び１２０は、例えば、水域における及び／又は水域にわたる配備についての長距離光ファイバラインであり得る。水域、例えば、海洋に配設されたシステムの部分は、ここでは「ウェットプラント」と呼ばれ得る。
【００１３】
光経路１１０、１２０の各々は、関連する増幅器１１８−１〜１１８−Ｎ及び１２８−１〜１２８−Ｎをそれぞれ含み得る。光増幅器１１８、１２８は、簡略化した形式で示され、１以上のエルビウムドープファイバ増幅器（ＥＤＦＡ）若しくは他の希土類ドープファイバ増幅器、ラマン増幅器又は半導体光増幅器を含み得る。
【００１４】
ラインモニタリング設備（ＬＭＥ）１４０、１４２は、光経路１１０、１２０のラインモニタリングを提供するように端末１０２、１０４の一方又は双方に位置し得る。ＬＭＥ１４０、１４２は、周知の信号生成、信号検出及び処理機能を実行することができ、それらの機能を実行するように構成された周知の送信機、受信機及びプロセッサを含み得る。モニタリング設備１４０は、１以上のテスト信号を、例えば、異なる波長で光経路１１０（例えば、アウトバウンド光経路）に出射し得る。そして、モニタリング設備１４０は、反射される信号を受信及び測定し得る。モニタリング設備１４２は、例えば、光経路１２０に１以上のテスト信号を出射する目的のために、ＬＭＥ１４０と実質的に同様に構成され得る。ＬＭＥ１４０は、ＬＭＥ１４２から受信されるテスト信号をループバックするように、さらにその逆となるように構成され得る。
【００１５】
ＬＭＥ１４０及び１４２の各々は光時間領域反射測定（ＯＴＤＲ）技術で実現可能であり、特定の一実施形態においては、双方とも、具体的には、実際のデータトラフィックが存在しない場合に実行されるテスト処理（いわゆる「アウトサービスモード」）とは対照的に、システム使用中のテスト処理（いわゆる「インサービスモード」）を実行することが望まれる場合に、実際のデータ信号と干渉しないように、中継器の通過帯域のエッジに存在するテスト信号波長を提供することができる。しかしながら、ある場合においては、ＬＭＥ１４０及び１４２の一方のみがＯＴＤＲ性能を実現し、他方は送信される信号に対して単にループバックを提供するだけである。一般的には前述したように、反射された信号（例えば、レイリー信号）は、モニタリングシステムが光経路（光経路における中継器、高損失ループバック経路、ファイバ及び他のアイテムを含む）に関連するゲインなどのパラメータを計算し、あるいはテスト信号が進行した光経路を評価可能となる情報を含む。測定されたゲイン又は他の関連パラメータのばらつきは、システムにおける欠陥を示す警報を生成するのに用いられ得る。
【００１６】
ＬＭＥ１４０側から見ると、送出ファイバはケーブルセグメント１１６−１〜１１６−Ｎを含み、入来ファイバはケーブルセグメント１２６−１〜１２６−Ｎを含む。ＬＭＥ１４２側から見ると、送出ファイバはケーブルセグメント１２６−１〜１２６−Ｎを含み、入来ファイバはケーブルセグメント１１６−１〜１１６−Ｎを含む。本開示の実施形態によると、システム１００によって、テスト設備１４０及び１４２は、テスト／プローブ信号の光周波数を調整することによって送出ファイバ又は入来ファイバのいずれかで反射された特定の信号を選択することが可能となる。
【００１７】
図２では、追加的に図１を参照して、ＬＭＥ２００の実施形態の例を本開示の実施形態により示す。ＬＭＥ２００は、例えば、図１のＬＭＥ１４０及び／又はＬＭＥ１４２としての使用に適し得る。説明する実施形態において、ＬＭＥ２００は、例えば、光経路１１０／１２０を介して光信号を出射するためのレーザ送信機２１０を含む。
【００１８】
レーザ送信機２１０は、ファイバ、例えば、光経路１１０／１２０内のファイバを介して複数のチャネル（又は波長）において光データを波長分割多重（ＷＤＭ）受信機、例えば、ＬＭＥ１４０／１４２に送信するように構成されたＷＤＭ送信機であり得る。レーザ送信機２１０は、各々が異なるチャネル又は波長を用いて光データ信号を送信する複数のレーザ送信機、及びデータ信号を光経路１１０／１２０上で送信される総合信号に合成するためのマルチプレクサを含み得る。受信機は、送信されるデータ信号を逆多重化及び検出し得る。代替的に、レーザ送信機２１０は、ラインモニタリングの目的のために、光経路１１０及び１２０の各々において搬送される単一チャネルのデータのみを放射する。
【００１９】
ＬＭＥ２００は、例えば、ＬＭＥ１４０及び／又はＬＭＥ１４２としてシステム１００の健全状態をモニタリングするために構成され、多様な構成に設けられ得る。説明する実施形態において、ＬＭＥ２００は、符号生成器２０４、レーザ送信機２１０、ＬＭＥコントローラ２０２、コンピュータ可読メモリ２０８及びフィルタ２０６を含む。ＬＭＥ２００は、出力２２０をネットワーク管理システム（ＮＭＳ）２１２に供給するように構成され得る。出力は、例えば、ＯＴＤＲビューア／アナライザシステムと互換性を有する標準フォーマットのファイルを含むことができ、それは図３と関連して以下でさらに詳細に説明する。他の場合には、出力２２０はＬＭＥ測定値を備えてもよく、ＮＭＳ２１２はそれを用いて、ＯＴＤＲビューア／アナライザシステムと互換性のある標準フォーマットのエクスポートファイルを生成し得る。
【００２０】
そのような標準の一例は、２０１１年７月に公表されたタイトル「Ｔｅｌｅｃｏｒｄｉａ  Ｓｐｅｃｉａｌ  Ｒｅｐｏｒｔ  ＳＲ−４７３１」のＳＲ−４７３１に適合するフォーマットを含む。ユーザは、例えば、ＮＭＳ２１２のグラフィカルユーザインターフェース（ＧＵＩ）を介してＬＭＥ２００からの出力を要求し得る。代替的に又は追加的に、ＮＭＳ２１２は、システム１００について自動健全状態モニタリングを実行するようにＬＭＥ２００からの出力を周期的に要求し得る。
【００２１】
符号生成器２０４は、固定長を有するゴレイコードなどのテスト符号を生成及び出力するために構成され得る。他の場合には、テスト符号は、符号の疑似乱数列（ＰＲＳ）を含み得る。符号生成器２０４の出力は、レーザ送信機２１０に結合され得る。
【００２２】
ＬＭＥコントローラ２０２は、例えば、デジタル信号プロセッサ（ＤＳＰ）、フィールドプログラマブルゲートアレイ（ＦＰＧＡ）、縮小命令セットコンピュータ（ＲＩＳＣ）プロセッサ、ｘ８６命令セットプロセッサ、マイクロコントローラ又は特定用途向け集積回路（ＡＳＩＣ）などの少なくとも１つの処理デバイス／回路を備える。ＬＭＥコントローラ２０２の態様は、例えば、ソフトウェア（例えば、Ｃ又はＣ＋＋がコントローラ／プロセッサ１０４上で実行される）、ハードウェア（例えば、ハードコードされたゲートレベルロジック又は専用のシリコン）若しくはファームウェア（例えば、組み込まれたルーチンがマイクロコントローラ上で実行される）又はそれらの任意の組合せを用いて実現され得る。図３の複数のＬＭＥ処理段の１以上は、ＬＭＥコントローラ２０２によって実施され得る。実施形態において、ＬＭＥコントローラは図７のＬＭＥ処理７００を実行するように構成され得るが、この開示はこの点に関して必ずしも限定されない。例えば、ＮＭＳ２１２又は他の適切なコンピューティングシステムは、１以上の動作、例えば、動作７１０及び７１２を実行し得る。
【００２３】
レーザ送信機２１０は、周知の構成、例えば、分布フィードバックレーザ（ＤＦＢ）であってもよく、伝送システム１００において送信されるデータチャネルすべての波長とは異なり得る搬送波波長、例えば、λ０の光出力を生成するように構成され得る。搬送波波長λ０は、例えば、システムのスペクトル帯域幅のエッジにあってもよいし、データチャネル間にあってもよい。一実施形態において、レーザ送信機２１０は、異なる時間間隔で異なる複数の搬送波波長の光出力を供給するように構成され得る。例えば、レーザ送信機２１０は、データ信号送信帯域の短波長端における短いＬＭＥ波長の、すなわち、最短波長データチャネルに隣接し、データ信号送信帯域の長波長端における長いＬＭＥ波長の、すなわち、最長波長データチャネルに隣接した出力を供給し得る。一実施形態において、短いＬＭＥ波長は１５３７ｎｍであってもよく、長いＬＭＥ波長は１５６３ｎｍであってもよい。レーザ出力のパワーは、ＬＭＥ波長が稼働中に測定される例では、データ信号の障害を最小化するように、光経路１１０／１２０上で伝達されるデータ信号のパワーレベル未満に設定され得る。
【００２４】
レーザ送信機２１０は、符号生成器２０４から受信される符号を示すＬＭＥテスト信号を、例えば、長い及び短い双方のＬＭＥ波長において生成し得る。ＬＭＥテスト信号は、ＬＭＥテスト信号出力２２２として供給され得る。一実施形態において、符号生成器２０４の出力は、レーザ出力の振幅を直接変調し得る。レーザ送信機からの出力光に、符号を与えるための他の構成が知られている。例えば、符号は、振幅、又はレーザ送信機２１０の出力に結合された他の変調器によって与えられ得る。
【００２５】
光経路１１６を介して各中継器によってＬＭＥ２００に戻されるＬＥＭテスト信号は、例えば、テスト信号２２２が進行した距離に比例する期間によって、本来のＬＭＥテスト信号２２２から遅延する。第１の中継器１１８−１について、例えば、遅延時間ｔｓ１は、スパン１１６−１を介する送信機２１０から第１の中継器１１８−１への距離ｄ１に比例する。第１の中継器１１８−１への距離ｄ１は、例えば、ケーブルセグメント１１６−１を通じる送信機２１０から第１の中継器１１８−１への距離として計算され得る。この距離はまた、正確には第１の中継器１１８−１についての遅延経路ともいわれる。遅延時間ｔｓ２では、ｔｓ２が遅延ｔｓ１のほぼ２倍であり、後方反射は、ＬＭＥ２００において、より具体的には、フィルタ２０６によってＬＭＥコントローラにおいて受信され得る。したがって、第１の中継器３６−１によって戻されるＬＭＥテスト信号についての遅延時間ｔｓ２はｔｓ２＝（ｄ１＊２）／ｃとして計算され得るものであり、ここでｃは、例えば、特定の媒体内の光の速度である。同様に、第２の中継器１１８−２によって戻されるＬＭＥテスト信号についての遅延時間ｔｓ３は、第２の中継器１１８−２に関連する遅延経路の既知の距離ｄ２に基づいて計算可能であり、ｔｓ３＝（ｄ２＊２）／ｃとして計算され得るものであり、ここでｃは光経路、例えば、光ファイバ内の光の速度である。同様に、システムにおける追加の中継器についての遅延時間もまた、それらの遅延経路の既知の距離に基づいて計算可能である。
【００２６】
同様に、光経路１１０／１２０の各々に沿ったいわゆる「事象」（例えば、ケーブルの切断、構成要素の不良）とともに分岐ユニット、カプラなどの他の構成要素は、テストＬＭＥテスト信号の反射／後方散乱を結果としてもたらし得る。したがって、各事象は、関連する反射されたテスト信号の遅延時間によってＬＭＥ２００からの特定の距離と相関し得る。
【００２７】
ラインテスト動作中に、ＬＭＥコントローラ２０２は、１以上のテスト信号、例えばテスト信号２２２を光経路、例えば光経路１１０／１２０を介して伝搬させ得る。そして、ＬＭＥコントローラ２０２は、所定の間隔、例えば１００ピコ秒でゲイン測定を実行し得る。例えば、測定サイクリング中に、ＬＭＥ２００は、１以上のフォトダイオードのパワーを測定し、相関関係をモニタリングして受信信号が以前送信された符号に対応するかを識別し得る。したがって、各ゲイン測定値が配列に記憶され得るものであり、指標は複数の所定の間隔である。ＬＭＥコントローラ２０２の専用のハードウェアクロックは、例えば、１００ピコ秒以上の分解能が可能な高分解能タイマーを提供し得る。システム１００の種々の特性に依存して、１００メートル以上の空間分解能は、以下でさらに説明するように、光信号に対する既知の伝搬時間に基づいて達成され得る。ＬＭＥコントローラ２０２は、事象を示す電気信号若しくは光信号、又はより具体的には、事象に関する反射されたテスト信号を利用し得る。ＬＭＥコントローラ２０２が電気信号を用いる場合には、ＬＭＥ２００は、フィルタ２０６によって出力される光信号を電気信号に変換するために、フィルタ２０６とＬＭＥコントローラ２０２の間に接続された光−電気変換器をさらに含み得る。
【００２８】
所与のテスト期間にわたって、ＬＭＥテスト信号のＮ個の反射は、所定の測定間隔に基づいてＬＭＥコントローラ２０２によって受信され、一往復中にメモリ２０８に記憶され得る。ある場合には、複数のＬＭＥテスト信号が、例えば１００億個／ｓ送信され、往復の結果がＬＭＥデータセットに記憶され、それは
Ｄ＝｛ｄ１，ｄ２，．．．，ｄｎ｝  （式１）
のように表すことができ、ここでＮはゼロでない配列の指標であり、Ｄは関連のゲイン値の配列を示す。なお、送信される具体的な符号化率は、所望の構成に依存して調節され得る。例えば、１００メートルの空間分解能（１０マイクロ秒／キロメートル）は、１ビット当たり１マイクロ秒のレートでゴレイコードを送信している間に達成され得る。データレートの増加に比例して、空間分解能は増加し得る。異なるデータレートは、所望の空間分解能、ハードウェア性能、光ネットワークトポロジーなどに依存して選択され得る。
【００２９】
したがって、システム１００の光経路を介して送信される所与のテスト信号に関連する各ＬＭＥデータセットは、実質的に同数のデータポイントを含み得る。ＬＭＥデータセットＤは、例えば、線形平均化及び他の適切なアプローチを用いて平均化及び正規化され得る。平均化及び正規化処理は、有利なことに、ノイズフロアを低下させ、測定の信頼性を高め得る。結果的な正規化されたＬＭＥデータセットＤｐｅａｋｓは、図３に関して以下でさらに説明するような後続の処理及び欠陥検出に利用され得る。
【００３０】
フィルタリング及び正規化は、各ＬＭＥデータセットｄ１．．．ｄｎが完了するにつれて行われてもよいし（例えば、所与のＬＭＥ信号の往復が生じる）、又は所定の期間後に、例えば、Ｘ個のＬＭＥテスト信号が往復を完了した後に行われてもよい。用いられる平均値の数は、すなわち、１以上のＬＭＥテスト信号に対応するデータセットＤの総数は、システムの長さに比例して基準化され得る。例えば、より大きな平均値の数が、比較的に短いシステムスパン、例えば、１０ｋｍの事象において用いられ得る。２５ｋｍ以上に及ぶ長距離スパンの場合には、より小さな平均値の数が用いられ得る。選択される特定数の平均値は、信頼性のある測定値対特定数の往復を完了する時間の総量に対する必要性のバランスをとる。いずれの事象においても、複数のデータポイントの配列は、例えば、線形平均化又は他の任意の適切な平均化アプローチを用いて正規化され得る。
【００３１】
平均値の総数は、以下の式：
ｔｏｔａｌｎ＿ａｖｇ＝１０００×ＣｏｒｒｅｌａｔｉｏｎＤｕｒａｔｉｏｎ／Ｍａｘ（２０，ＳｙｓｔｅｍＬｅｎｇｔｈ／（１００＋（ＣｏｄｅＬｅｎ＋ＴａｉｌＬｅｎ）×ＳｐａｔｉａｌＲｅｓｏｌｕｔｉｏｎ×１０／１０００））  （式２）
に基づき得るものであり、ここでＣｏｒｒｅｌａｔｉｏｎＤｕｒａｔｉｏｎはテスト期間の総継続期間であり、ＳｙｓｔｅｍＬｅｎｇｔｈはキロメートルでのシステムの長さであり、ＣｏｄｅＬｅｎはバイトでのＬＭＥテスト信号の長さであり、ＴａｉｌＬｅｎはシステムの長さの終わりを示す仮想の長さであり、ＳｐａｔｉａｌＲｅｓｏｌｕｔｉｏｎは事象についての最大分解能である。ＴａｉｌＬｅｎは、例えば、この開示では実証的分析を通じて遠端のノイズフロアを補完するのに適していると識別された６２５ｋｍを示す６２５に設定されてもよいが、他のＴａｉｌＬｅｎの値はこの開示の範囲内のものである。したがって、結果的なＬＭＥデータセットＤｐｅａｋｓは平均値の総数に基づく平均値を示し、平均値の総数は（式２）に基づいて計算されている。
【００３２】
ここで用いられる取得範囲は全一方向長のことであり、パルスは測定されているファイバの端部に戻るＯＴＤＲから採取すべきである。以下の式：
ＡｃｑｕｉｓｉｔｉｏｎＲａｎｇｅ＝１．５×ＳｙｓｔｅｍＬｅｎｇｔｈ×１０１０／（３×１０５）  （式３）
が取得値を決定するのに用いられ得る。
【００３３】
以下の式：
ＵｓｅｒＯｆｆｓｅｔ＝（ＵＯ×１．４６９／（３×（１０８ｍ／ｓ））×１０１２ｐｓ／ｓ  （式４）
がＵｓｅｒＯｆｆｓｅｔ（ＵＯ）を決定するのに用いられてもよく、ここでＵＯは、ＯＴＤＲのフロントパネルから光リンクの開始部への、例えば、光ジャンパーの長さのメートルでの一方向距離である。
【００３４】
図３では、本開示の実施形態による、ＬＭＥ結果ファイルを生成するようにＬＭＥ２００によって実施され得る複数の処理段３００の例を示す。ＬＭＥ結果ファイルは、上記のようにＴｅｌｅｃｏｒｄｉａフォーマットなどの標準フォーマットに適合し得る。ＬＭＥコントローラ２０２は、複数の処理段３００などの１以上のＬＭＥ処理段を実施し得る。この目的で、処理段は、ハードウェア、ソフトウェア又はそれらの組合せを含む多様な方法で実施され得る。
【００３５】
ＬＭＥ測定値３０２は、上記のように結果的なＬＭＥデータセットＤｐｅａｋｓを含み得る。ＬＭＥ測定値３０２は、ＬＭＥ結果生成器段３０６に提供され得る。ＬＭＥシステムパラメータ３０４は、種々のユーザ構成可能パラメータ及びシステム固有パラメータを含み得る。例えば、ＬＭＥシステムパラメータは、一般的パラメータ（例えば、以下の表１に要約するようなもの）、製造業者固有パラメータ（例えば、製造業者の名称、ＯＴＤＲメインフレームＩＤ、ＯＴＤＲメインフレームシリアル番号、光モジュールＩＤ、光モジュールシリアル番号、ソフトウェアリビジョンタグ）及び／又はハードウェアパラメータ（例えば、以下の表２に要約するようなもの）を含み得る。ＬＭＥシステムパラメータ３０４は、確認及び変更を目的としてＮＭＳ２１２のＧＵＩを介して提示され得る。表１には非限定的な一般的パラメータのある例の概要を与え、表２には非限定的なハードウェアパラメータのある例の概要を与える。
【表１】
2020506644.tif 000003
【表２−１】
2020506644.tif 000004
【表２−２】
2020506644.tif 000005
【００３６】
ＬＭＥ結果生成器段３０６はまた、ＬＭＥシステムパラメータ３０４も受信する。ＬＭＥ結果生成器段３０６は、ＬＭＥ測定値３０２を、複数のゲイン値及び光経路、例えば光経路１１０／１２０の開始部に対してメートルでの関連距離Ｄに変換するように、ＬＭＥシステムパラメータ３０４との組み合わせにおいてＬＭＥ測定値３０２を用いる。以下の式は、各データポイントに関連するタイムスタンプを（メートルでの）距離の値：
Ｄｉｓｔａｎｃｅ＝Ｔ×Ｃ  （式３）
に変換するように利用され得るものであり、ここでＴは所与の事象に対するタイムスタンプ（例えば、所定の測定間隔で乗算される測定ゲイン値の指標）であり、Ｃは光の速度である。なお、光の速度Ｃは、媒体に依存して変動する。この目的で、ファイバタイプのパラメータが検査され、Ｃは、特定のファイバタイプに関連する予め定義された光ファイバのレイテンシの値及びＬＭＥテスト信号に対して選択された表示波長に従って調整され得る。真空又は自由空間において、光はマイクロ秒（μｓ）当たり２９９７９２メートルの速度で進行する。これに対して、光は、関連する屈折率に起因してより低い速度で単一モードファイバを通じて移動する。例えば、あるタイプの単一モードファイバ、例えば、Ｇ．６５２によって、光は、約１１５０ｎｍのチャネル波長に対して約２０４１９１ｍ／μｓの速度で進行可能となる。したがって、光の速度Ｃは、上記の一般的パラメータにおいて選択された特定のファイバタイプに関連する既知のレイテンシに基づいて調整され得る。
【００３７】
いずれの事象においても、ＬＭＥ結果生成器段３０６は、選択された標準フォーマットに適合するフォーマットで複数のバイトを出力し得る。例えば、標準フォーマットは、前述のようにＴｅｌｅｃｏｒｄｉａフォーマットを含み得る。この例において、フォーマットは、いわゆる「．ＳＯＲ」フォーマットのものであり得る。この場合には、複数のバイトが、ゲイン／距離の値とともに表１及び表２において上記要約された値の表示を含み得る。値の各々は、複数のバイト内の具体的な位置にＴｅｌｅｃｏｒｄｉａ  ＯＴＤＲ仕様によって準拠されるフォーマット（例えば、データタイプ）で並べられ得る。さらに、ゲイン／距離の値は、複数のバイト内の適切なヘッダ／定義部分を介して参照され得る複数のブロックで配置され得る。ＬＭＥ結果生成器段は、バイトの連続配列として複数のバイトを出力し得る。
【００３８】
ファイル出力段３０８は、標準フォーマットでフォーマット化されたバイトの連続配列を受信し、メモリ、例えば、携帯型ハードドライブ、ＵＳＢサムドライブなどに記憶され得るそれに基づいてＬＭＥ出力ファイルをレンダリングする。そして、エクスポートファイル段３１０は、レンダリングされたＬＭＥファイルを選択された位置にエクスポートし得る。レンダリングされたＬＭＥファイルは、「．ＳＯＲ」ファイルフォーマットであり、ＬＭＥデータを解析及び／又は表示するように設計された市販のユーティリティと互換性を有し得る。
【００３９】
図４では、プロット４００の例が、ＷＤＭ通信システムの例についてのゲイン測定値対距離を示す。プロット４００は、例えば、エクスポートファイル段３１０でエクスポートされたレンダリングＬＭＥ出力ファイルをローディングした後に、市販のビューアによって示され得る。図示するように、プロット４００の例は、光伝送システムの例、例えば、図１のシステム１００について距離に対するゲインの変化を示す。図示するように、システムの例は、約５０００ｋｍのシステム長を含む。プロット４００に示す山部及び谷部は、システムの光通信経路に沿った種々の事象（例えば、分岐ユニット、中継器など）を表す。
【００４０】
図５は、通信システムの例の２ｋｍスパンにわたるＬＭＥ結果を示すように、図４のプロット４００の拡大領域を示す。図示するように、プロットされたゲイン値における山部及び谷部は、それが光通信システムの構成要素を通過するとＬＭＥテスト信号に与えられるゲインを表す。例えば、谷部４４０は、例えば、約４８０ｋｍで示すように分岐ユニットがあることに起因してゲインの降下と相関関係を有し得る。図６は、通信システムの例の１２５０ｍ〜２０００ｍの相対的に短いスパンを示すようにさらに拡大したグラフ６００を示す。図示するように、システムは、山部／谷部が閾値限度内にあり、通信システム内の既知の位置で光学的構成要素と一致する限り、「健全状態である」と分類され得る。
【００４１】
図７は、本開示による処理７００の一例のブロックフロー図である。処理７００の例は、例えば、図３の複数のＬＭＥ処理段３００を実施する図１のＬＭＥコントローラ２０２によって実行され得る。図示するブロックフロー図は、特定の一連の動作を含む。ただし、一連の動作は、ここで説明する一般的な機能性がどのように実施され得るかについての例を単に与えるに過ぎないことは明らかである。さらに、各一連の動作は、他に示されない限り提示された順序で実行されなくてもよい。
【００４２】
図７に示す実施形態の例において、少なくとも１つのＬＭＥテスト信号は光経路（例えば、光経路１１０／１２０）を介して表示チャネル波長で送信され（７０２）、光経路は複数のケーブルセグメントを有する。複数のケーブルセグメントの各々を通じてテスト信号に与えられるゲインを示す複数のゲイン測定値が、受信され得る（７０４）。各ゲイン測定は、上記のように１００ピコ秒の増分などの所定のレートで実行され得るが、他の実施形態もこの開示の範囲内のものである。複数のゲイン測定値は、結果的なＬＭＥデータセット（Ｄｐｅａｋｓ）を導出するようにフィルタリング及び正規化され得る（７０６）。
【００４３】
結果的なＬＭＥデータセット（Ｄｐｅａｋｓ）及びＬＭＥシステムパラメータは、例えば、ＬＭＥコントローラ２０２によって受信され得る（７０８）。出力ファイル、例えば、Ｔｅｌｅｃｏｒｄｉａフォーマットによる．ＳＯＲファイルは、結果的なＬＭＥデータセット（Ｄｐｅａｋｓ）及びＬＭＥシステムパラメータに基づいて生成され得る（７１０）。出力ファイルは、所定の位置、例えば、ネットワーク位置、ＵＳＢドライブ、携帯型ハードドライブなどにエクスポートされ得る（７１２）。
【００４４】
本開示の態様により、光通信システムが開示される。光通信システムは、複数のケーブルセグメントを備える光経路と、光経路に結合されたラインモニタリング設備（ＬＭＥ）を有する端局とを備え、ＬＭＥは、光経路に沿って少なくとも１つのＬＭＥテスト信号を送信し、複数のケーブルセグメントの各々を通じて少なくとも１つのＬＭＥテスト信号に与えられるゲインを示す複数のゲイン測定値を受信し、受信された複数のゲイン測定値に基づいて結果的なＬＭＥデータセットを導出し、光通信システムに関連した複数のシステムパラメータを受信し、結果的なＬＭＥデータセット及び光通信システムに関連したシステムパラメータの少なくとも一部に基づいて出力ファイルを生成するように構成される。
【００４５】
本開示の他の態様により、波長分割多重化（ＷＤＭ）システムのラインモニタリング設備（ＬＭＥ）を介してラインテストを実行する方法が開示される。方法は、波長分割多重化（ＷＤＭ）通信システムの光経路に沿って少なくとも１つのＬＭＥテスト信号を送信するステップであって、光経路は複数のケーブルセグメントを備える、ステップと、複数のケーブルセグメントの各々を通じて少なくとも１つのＬＭＥテスト信号に与えられるゲインを示す複数のゲイン測定値を受信するステップと、受信された複数のゲイン測定値に基づいて結果的なＬＭＥデータセットを導出するステップと、ＷＤＭ通信システムに関連した複数のシステムパラメータを受信するステップと、結果的なＬＭＥデータセット及びＷＤＭ通信システムに関連したシステムパラメータの少なくとも一部に基づいて出力ファイルを生成するステップとを備える。
【００４６】
ここで説明する方法の実施形態は、プロセッサ及び／又は他のプログラマブルデバイスを用いて実施され得る。その目的で、ここで説明する方法は、１以上のプロセッサによって実行されると方法を実行するそこに記憶された命令を有する有形のコンピュータ可読記憶媒体上で実施され得る。したがって、例えば、送信機及び／又は受信機は、ここで説明する動作を実行するように（例えば、ファームウェア又はソフトウェアにおいて）命令を記憶する記憶媒体（図示せず）を含み得る。記憶媒体は、任意のタイプの非一時的な有形の媒体、例えば、フロッピーディスク、光ディスク、コンパクトディスク読出し専用メモリ（ＣＤ−ＲＯＭ）、コンパクトディスク書換え可能（ＣＤ−ＲＷ）及び光磁気ディスクを含む任意のタイプのディスク、読出し専用メモリ（ＲＯＭ）、ダイナミック及びスタティックランダムアクセスメモリ（ＲＡＭ）などのＲＡＭ、消去可能プログラマブル読出し専用メモリ（ＥＰＲＯＭ）、電気消去可能プログラマブル読出し専用メモリ（ＥＥＰＲＯＭ）、フラッシュメモリ、磁気若しくは光カードなどの半導体デバイス、又は電子命令を記憶するのに適した任意のタイプの媒体を含み得る。
【００４７】
ここでの任意のブロック図は、開示の原理を具現化する代表的な回路構成の概念図を示す。同様に、任意のフローチャート、フロー図、状態遷移図、疑似コードなどは、コンピュータ可読媒体において実質的に示され、それによりそのようなコンピュータ又はプロセッサが明示されるか否かに関わらず、コンピュータ又はプロセッサによって実行され得る種々の処理を示すことが明らかとなる。ソフトウェアモジュール、又は単にソフトウェアであると示唆されるモジュールは、処理ステップ及び／又はテキスト記述の性能を示すフローチャート要素又は他の要素の任意の組合せとしてここでは示され得る。そのようなモジュールは、明示的又は示唆的に示されるハードウェアによって実行され得る。
【００４８】
任意の機能ブロックを含む図面に図示する種々の要素の機能は、専用のハードウェアと、さらに適切なソフトウェアに関連してソフトウェアを実行可能なハードウェアとの使用を通じて提供され得る。機能は、プロセッサ／コントローラによって提供される場合には、単一の専用プロセッサによって、単一の供用プロセッサによって、又はその一部が供用され得る複数の個々のプロセッサによって提供され得る。さらに、用語「プロセッサ」又は「コントローラ」の明示的な使用は、ソフトウェアを実行可能なハードウェアのことだけをいうと解釈されるべきではなく、限定することなく、デジタル信号プロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するための読出し専用メモリ（ＲＯＭ）、ランダムアクセスメモリ（ＲＡＭ）及び不揮発性ストレージを示唆的に含み得る。他のハードウェア、慣習的及び／又は慣行的なものも含まれ得る。
【００４９】
ここで用いられる用語「結合される」は、１つのシステム要素によって搬送される信号が「結合される」要素に与えられる任意の接続、結合、リンクなどのことをいう。そのような「結合される」デバイス、又は信号及びデバイスは、相互に必ずしも直接には接続されず、そのような信号を操作又は変更し得る介在構成要素又はデバイスによって分離され得る。ここで任意の実施形態に用いられるように、「回路構成」は、例えば、単体で又は任意に組み合わせて、ハードワイヤード回路構成、プログラマブル回路構成、状態機械回路構成、及び／又はプログラマブル回路構成によって実行される命令を記憶するファームウェアを備え得る。少なくとも１つの実施形態において、送信機及び受信機は、１以上の集積回路を備え得る。「集積回路」は、デジタル、アナログ若しくは混合信号半導体デバイス、及び／又は、例えば、それに限定されずに半導体集積回路チップなどのマイクロ電子デバイスであり得る。
【図１】
2020506644.tif 000006
【図２】
2020506644.tif 000007
【図３】
2020506644.tif 000008
【図４】
2020506644.tif 000009
【図５】
2020506644.tif 000010
【図６】
2020506644.tif 000011
【図７】
2020506644.tif 000012
【国際調査報告】
2020506644.tif 000013
2020506644.tif 000014